(57)【要約】      （修正有）【課題】眼内手術装置において、サージ現象の発生を防止し、後嚢破損等の術中合併症を招くことのないようにする。【解決手段】灌流液を貯留する貯留瓶２１と、灌流液の流入口と排出口、眼内患部を破砕する超音波チップ１１とを有するハンドピース１と、貯留瓶２１とハンドピース１とを接続する供給管６と、破砕された眼内患部を灌流液と共にハンドピース１から排出する排出管７とを設ける。そして、灌流液を、貯留瓶２１からの供給圧によって流動させる。ここで、より装置の簡略化および省エネルギー化を図る観点からは、前記供給圧として、貯留瓶２１とハンドピース１との高低差による水頭圧を用いるのが好ましい。【選択図】図１
2010246573.tif 000002
【特許請求の範囲】
【請求項１】
灌流液を貯留する貯留部と、
灌流液の流入口と排出口、眼内患部を破砕する超音波チップとを有するハンドピースと、
前記貯留部と前記ハンドピースとを接続する供給路と、
破砕された眼内患部を灌流液と共に前記ハンドピースから排出する排出路とを備え、
灌流液を、前記貯留部からの供給圧によって流動させることを特徴とする眼内手術装置。
【請求項２】
前記供給圧として、前記貯留部と前記ハンドピースとの高低差による水頭圧を用いる請求項１記載の眼内手術装置。
【請求項３】
前記排出路に吸引ポンプをさらに設けた請求項１又は２記載の眼内手術装置。
【請求項４】
前記吸引ポンプの入切スイッチを前記ハンドピースに設けた請求項３記載の眼内手術装置。
【請求項５】
前記吸引ポンプの入切スイッチをフットスイッチとした請求項３記載の眼内手術装置。
【請求項６】
前記排出路を途中で２つに分岐させ、一方の排出路に前記吸引ポンプを設け、もう一方の排出路に弁を設け、
前記弁によって、前記吸引ポンプが駆動したときに灌流液が排出路を逆流するのを防止する請求項３〜５のいずれかに記載の眼内手術装置。
【請求項７】
前記吸引ポンプが駆動していないときは、前記貯留部からの供給圧で灌流液を流動させ、前記吸引ポンプが駆動しているときは、前記貯留部からの供給圧と前記吸引ポンプの吸引圧とによって灌流液を流動させる請求項３〜５のいずれかに記載の眼内手術装置。
【請求項８】
前記吸引ポンプが、外周部にローラを設けたロータを、ケース内に回転可能に収容し、排出路の少なくとも一部を構成する、弾性を有する排出管をロータに巻回し、ケース内周壁とローラとで前記排出管にくびれ部を形成し、ロータを回転させることによって前記くびれ部を移動させて排出管内の灌流液を移送する蠕動ポンプであって、
前記ケース内周壁と前記ロータとは、前記排出管にくびれ部を形成する位置と前記排出管を開放する位置とに相対的に移動可能であり、
前記蠕動ポンプが駆動していないとき、前記ケース内周壁と前記ロータは前記排出管を開放する位置に保持され、前記排出管内を灌流液が流動可能である請求項７記載の眼内手術装置。
【請求項９】
前記供給路の途中に連結され、前記供給路に供給される灌流液が流入する開口部を残して閉鎖可能な室を形成する収容部を備え、患部内が過剰な減圧状態となったときに、灌流液を患部内に供給可能な眼内手術用減圧補償器具をさらに備えた請求項１〜８のいずれかに記載の眼内手術装置。
【発明の詳細な説明】
【技術分野】
【０００１】
本発明は眼内手術装置に関し、より詳細には白内障の手術に特に好適に用いられる眼内手術装置に関するものである。
【背景技術】
【０００２】
白内障は、眼の中でカメラのレンズの役割を果たす水晶体が混濁する病気である。白内障が進むと、眼内の水晶体を眼内レンズ（人工水晶体）に交換する手術が必要となる。このような手術の一つとして、眼内患部の水晶体、特に水晶体の核または／および皮質を超音波振動により破砕し乳化して吸引する超音波乳化吸引手術（PEA:Phacoemulsification and aspiration）が現在広く採用されている。この手術では、超音波振動によって水晶体が破砕され、破砕片は細い管で眼内から吸引・除去される。
【０００３】
図７に、従来の眼内手術装置の概説図を示す。この図の装置では、灌流液を貯留した貯留瓶２１が所定高さの所に吊り下げられ、貯留瓶２１とハンドピース１とが供給管６で接続されている。これにより灌流液は、貯留瓶２１からハンドピース１へ水頭圧によって供給され、ハンドピース１の先端に取り付けられた超音波チップ１１の流入口１３から眼内に流れ込む。
【０００４】
またハンドピース１には吸引管７が取り付けられている。この吸引管７は、吸引ポンプとしての蠕動ポンプ４を経由して廃液袋２２に接続されている。これにより、眼内に流れ込んだ灌流液は、超音波チップ１１の吸引口１４から吸引されて廃液袋２２に排出される。
【０００５】
このような構成の眼内手術装置において手術を行う場合は、超音波チップ１１の流入口１３から灌流液を眼内患部に流入させながら、超音波チップ１１の先端部を不図示の振動手段によって超音波振動させて水晶体Ｐを細かく破砕し乳化する。そして蠕動ポンプ４を起動させて、破砕された水晶体Ｐの破片（例えば、水晶体の核片、皮質片等；以下においいて、水晶体片ということもある。）を、灌流液と共に超音波チップ１１の吸引口１４から吸引し廃液袋２２に排出していた。このときの灌流液の流入量（供給圧）と吸引量（吸引圧）とのバランスにより眼内患部の圧力は安定に保たれる。
【０００６】
超音波チップ１１の吸引口１４に水晶体片が吸い寄せられたとき、水晶体片によって排出口１４が一時的に閉塞されることがある。排出口１４が閉塞されている間は灌流液の排出は行われない。この状態で蠕動ポンプ４によって吸引が更に続けられると、吸引管７内の負圧が高まる。そして水晶体片が吸引口１４に一気に吸い込まれ、吸引管７の閉塞状態が解除された瞬間に、吸引管７の吸引流量が急激に多くなる。一方、灌流液の供給はこれに瞬時に対応することができないため、前房内は減圧状態となる。前房内の減圧状態は、流入が停止していた灌流液が一定の流量に達し、更に供給圧と吸引圧とが平衡状態に達するまで継続する（以下、これを「サージ現象」という）。前房内が減圧状態であると、眼球及び前房の内容積が減少するいわゆるマイクロコラップスが生じ、ハンドピースの吸引口に水晶体の後嚢Ｓが吸い込まれて破壊する後嚢破損や角膜内皮損傷といった術中合併症を招くおそれが高まる。
【０００７】
このような問題に対して従来は、手術者がその実経験や練習に基づいて超音波量や吸い込み量を適宜変更する等して対処していたが、経験の浅い手術者等にとっては、対処するのは容易ではなかった。
【０００８】
そこで、このようなサージ現象を少なくするため、例えば、特許文献１では、吸引ポンプに吸引の逆送装置を設けて、吸引を中断したいときは吸引ポンプを逆回転させて吸引を逆送させ、吸引経路の負圧を解除する技術が提案されている。また、特許文献２では、灌流液注入ラインの途中に、灌水を貯留するための灌水貯留部、レンジ、灌流圧センサー、及び圧コントローラーを設け、灌流圧が適切なレンジを超えたときにコントローラーを介して灌水供給通路へ灌水を強制的に注入するよう灌水貯留部を作動させ、前房内圧が基準値以下になるのを防止する技術が提案されている。
【特許文献１】特開平７−４４２号公報
【特許文献２】特開２００２−１５３４９９号公報
【特許文献３】特開２００５−５２３８９号公報
【発明の開示】
【発明が解決しようとする課題】
【０００９】
しかしながら、サージ現象は吸引管の閉塞状態解除後約０．２秒以内という極めて短時間に発生するところ、前記の各提案技術では、サージ現象が起こってから実際に制御が行われるまでに時間差が不可避的に生じ、サージ現象を確実に抑えることは実質的には困難であった。
【００１０】
本発明はこのような従来の問題に鑑みてなされたものであり、その目的とするところは、サージ現象の発生を防止し、後嚢破損等の術中合併症を招くことのない眼内手術装置を提供することにある。
【００１１】
また本発明の目的は、装置の簡略化および省エネルギー化が図れる眼内手術装置を提供することにある。
【課題を解決するための手段】
【００１２】
本発明者等は前記目的を達成すべく鋭意検討を重ねた結果、所定の供給圧で灌流液を眼内に供給することによって、破砕された眼内患部の破片を灌流液と共に流出させればよいという、眼内患部の破片を灌流液と共に眼内から吸引除去するという従来の技術思想とはまったく逆の着想を得、本発明をなすに至った。すなわち、本発明に係る眼内手術装置は、灌流液を貯留する貯留部と、灌流液の流入口と排出口、眼内患部を破砕する超音波チップとを有するハンドピースと、前記貯留部と前記ハンドピースとを接続する供給路と、破砕された眼内患部を灌流液と共に前記ハンドピースから排出する排出路とを備え、灌流液を、前記貯留部からの供給圧によって流動させることを特徴とする。
【００１３】
ここで、装置の簡略化および省エネルギー化を図る観点からは、前記供給圧として、前記貯留部と前記ハンドピースとの高低差による水頭圧を用いるのが好ましい。
【００１４】
眼内患部が固く灌流液の眼内への供給圧だけでは、眼内患部を円滑に除去できない場合に備えて、前記排出路に入切スイッチにより可動または停止できる吸引ポンプをさらに設けてもよい。この場合、手術の円滑性の観点から、前記吸引ポンプの入切スイッチは前記ハンドピースに設ける、あるいは前記吸引ポンプの入切スイッチをフットスイッチとするのが好ましい。
【００１５】
また排出路に吸引ポンプを設ける場合、前記排出路を途中で２つに分岐し、一方の排出路に前記吸引ポンプを設け、もう一方の排出路に弁を設け、この弁によって、前記吸引ポンプが駆動したときに灌流液が排出路を逆流するのを防止するようにしてもよい。
【００１６】
あるいは前記排出路を分岐させずに、前記吸引ポンプが駆動していないときは、前記貯留部からの供給圧で灌流液を流動させ、前記吸引ポンプが駆動しているときは、前記貯留部からの供給圧と前記吸引ポンプの吸引圧とによって灌流液を流動させるようにしてもよい。このとき、前記吸引ポンプとして、外周部にローラを設けたロータを、ケース内に回転可能に収容し、排出路の少なくとも一部を構成する、弾性を有する排出管をロータに巻回し、ケース内周壁とローラとで前記排出管にくびれ部を形成し、ロータを回転させることによって前記くびれ部を移動させて排出管内の灌流液を移送する蠕動ポンプを用い、前記ケース内周壁と前記ロータとを、前記排出管にくびれ部を形成する位置と前記排出管を開放する位置とに相対的に移動可能とし、前記蠕動ポンプが駆動していないとき、前記ケース内周壁と前記ロータは前記排出管を開放する位置に保持され、前記排出管内を灌流液が流動可能としてもよい。
【００１７】
サージ現象を一層確実に防止する観点から、前記供給路の途中に連結され、前記供給路に供給される灌流液が流入する開口部を残して閉鎖可能な室を形成する収容部を備え、患部内が過剰な減圧状態となったときに、灌流液を患部内に供給可能な眼内手術用減圧補償器具をさらに設けてもよい。
【発明の効果】
【００１８】
本発明に係る眼内手術装置では、灌流液を、貯留部からの供給圧によって流動させるので、従来の吸引ポンプの吸引圧による流動と異なって眼内が負圧となることがなく、サージ現象の発生を招くおそれがない。したがって、後嚢破損等の術中合併症の発生は従来に比べて格段に抑えられる。また、従来の吸引ポンプによる排出口からの吸引に比べて、ハンドピースの流入口から流入した灌流液は、眼内を正圧に保ちしかも大きく流動するので、超音波チップを水晶体片に接近させなくても、水晶体片が超音波チップに流動接近するようになる。これにより、例えば超音波チップを水晶体内の中央に位置させることによって、後嚢の近傍の水晶体片をも除去でき、後嚢を破損したり、角膜内皮を損傷したりするおそれが確実になくなる。
【００１９】
また灌流液を、前記貯留部と前記ハンドピースとの高低差による水頭圧によって流動させると、供給ポンプ等の動力が不要となり装置の簡略化および省エネルギー化が図れる。
【００２０】
そしてまた、前記排出路に吸引ポンプをさらに設けると、水晶体が固く灌流液の眼内への供給圧だけでは、水晶体片を円滑に除去できない場合にも対応できるようになる。ここで、前記吸引ポンプの入切スイッチを前記ハンドピースに設ける、あるいは入切スイッチをフットスイッチとすると、手術の円滑性が高まる。
【００２１】
前記供給路の途中に連結され、前記供給路に供給される灌流液が流入する開口部を残して閉鎖可能な室を形成する収容部を備え、患部内が過剰な減圧状態となったときに、灌流液を患部内に供給可能な眼内手術用減圧補償器具をさらに設けると、サージ現象を一層確実に防止できる。
【発明を実施するための最良の形態】
【００２２】
以下、本発明に係る眼内手術装置について図に基づいて説明するが、本発明はこれらの実施形態に何ら限定されるものではない。
【００２３】
図１は本発明に係る眼内手術装置の一実施形態を示す斜視図である。図１の眼内手術装置は、所定高さの所に吊り下げられた灌流液を貯留した貯留瓶２１と、ハンドピース１とが供給管６で接続されている。そして、供給管６の途中には、灌流液を満たした減圧補償チューブ５が接続されている。この減圧補償チューブ５については後述する。また、ハンドピース１には、灌流液を廃液袋２２に排出するための排出管７が取り付けられている。この排出管７は途中で第１排出管７１と第２排出管７２とに分岐しており、第１排出管７１には逆止弁３が取り付けられ、第２排出管７２には吸引ポンプとしての蠕動ポンプ４が取り付けられている。逆止弁３は、ハンドピース１から廃液袋２２への灌流液の流動を可能とする一方、その逆方向の流動を不可とする。第１排出管７１と第２排出管７２とは、逆止弁３及び蠕動ポンプ４の下流側で再び合流して１本の排出管となり廃液袋２２と接続している。勿論、第１排出管７１と第２排出管７２とを合流させずにそれぞれ別々に廃液袋２２に接続しても構わない。
【００２４】
ハンドピース１には、蠕動ポンプ４の入・切を行うためのスイッチ１２が手術者の指で操作できる位置に設けられている。通常、蠕動ポンプ４は停止状態とされている。スイッチ１２を押圧すると蠕動ポンプ４が駆動され、スイッチ１２の押圧を解除すると蠕動ポンプ４は停止状態となる。勿論、スイッチ１２の取り付けとしては、ハンドピース１に取り付ける以外にもスイッチ単独でフットスイッチなどとしても構わない。また逆止弁３は、蠕動ポンプ４が駆動したときに、廃液袋２２に貯まった廃液が第１排出管７１をハンドピース１方向へ逆流するのを防止するためのものであり、かかる作用を奏するものであれば逆止弁のほか開閉弁など従来公知のものを使用できる。ただし、逆止弁３に換えて開閉弁を用いる場合、蠕動ポンプが停止しているときは開閉弁を開状態とし、蠕動ポンプ４が駆動されたとき、開閉弁を閉状態とする必要がある。かかる開閉弁の開閉動作は、蠕動ポンプのスイッチ１２の入切に連動させればよい。
【００２５】
ハンドピース１は、超音波振動を発生する振動子（不図示）と、この振動子によって発生した超音波振動を出力するホーン（不図示）とを内蔵した円筒状のハンドピース本体１０と、ハンドピース本体１０の先端に着脱可能に取り付けられる超音波チップ１１とを備え、超音波チップ１１はホーンと連結され超音波振動する。超音波チップ１１の外周には、灌流液が流出する流入口１３（図２に図示）が形成され、ハンドピース本体１０には流入口１３に繋がる流入路１５がハンドピース本体１０の軸線方向に延び、流入路１５の後端部には供給管６が接続されている。また、超音波チップ１１の先端には排出口１４（図２に図示）が形成され、ハンドピース本体１０の略中心には排出口１４に繋がる流出路１６が軸線方向に延び、流出路１６の後端には排出管７が接続されている。
【００２６】
貯留瓶２１に貯留された灌流液は、水頭圧によって貯留瓶２１から供給管６を通ってハンドピース１へ供給され、ハンドピース１の先端に取り付けられた超音波チップ１１の流入口１３（図２に図示）から眼内に流れ込む。そして、超音波チップ１１の排出口１４（図２に図示）から通常は第１排出管７１を通って廃液袋２２に排出される。なお、灌流液に供給圧を付与する手段として、ハンドピース１と貯留瓶２１との高低差による水頭圧を利用するほか、ポンプによって供給圧を付与しても構わない。ただし、省エネルギーや装置の簡略化等の観点からは水頭圧を用いて灌流液に供給圧を付与するのが望ましい。貯留瓶２１とハンドピース１との高低差は、眼内患部を灌流液と共に廃液袋２２に排出できる供給圧が得られる程度であればよく、通常２０〜１２０ｃｍの範囲が好ましい。
【００２７】
このような構成の眼内手術装置の使用方法を白内障手術の場合を例に説明する。貯留瓶２１からハンドピース１へ所定の供給圧で供給された灌流液は、ハンドピース１の超音波チップ１１に形成された流入口１３（図２に図示）から水晶体内に流入する。このときの状態を図２に示す。同図（ａ）に示すように本発明の装置では灌流液は、ハンドピース１の超音波チップ１１に形成された流入口１３から勢いよく後嚢Ｓ内に流入し、後嚢Ｓの内周に沿って大きく流動して超音波チップ１１の排出口１４から流出する。このとき、水晶体Ｐの破片は灌流液によって超音波チップ１１の先端の排出口１４に導かれ、排出口１４の口径より小さい破片はそのまま排出口１４から排出される一方、排出口１４の口径より大きい破片は、不図示の振動手段によって超音波振動する超音波チップ１１の先端部で破砕され排出口１４から流出して行く。したがって、超音波チップ１１を大きく動かす必要がなく、通常は排出口１４を水晶体内の略中央部に位置させておけば、水晶体片が排出口１４に次々と流れ寄ってくる。なお、ハンドピース１の超音波チップ１１の振動出力は従来と同程度の２０〜５０ｋＨｚ程度でよい。
【００２８】
これに対し、同図（ｂ）は、図７に示した吸引ポンプを用いた従来の装置の場合の、眼内の灌流液を流れを模式的に示した図であって、超音波チップ１１の先端に形成された排出口１４によって灌流液と共に水晶体Ｐの破片が吸引される。しかし、吸引できる範囲が狭いため、超音波チップ１１をそれぞれの水晶体片まで移動させて吸引しなければなかった。このため、後嚢Ｓ近傍の水晶体片を吸引するには超音波チップ１１の排出口１４を後嚢Ｓ近くまで接近させる必要があり、後嚢Ｓを吸い込まないように細心の注意を払う必要があった。
【００２９】
また、従来の吸引型の装置では、灌流液の供給圧と吸引ポンプの吸引圧とのバランスが崩れて、吸引圧が大きくなると後嚢Ｓ内が負圧となることがあったのに対し、本発明の装置では灌流液に供給圧しか掛からないので、後嚢Ｓ内が負圧になることがない。したがって、たとえ超音波チップ１１の排出口１４を後嚢Ｓの近傍に移動させた場合であっても、後嚢Ｓを排出口１４内に吸い込むことはない。
【００３０】
図１の装置では、吸引ポンプとしての蠕動ポンプ４を取り付けている。水晶体Ｐは一般に加齢と共に硬くなる傾向にあり、患者によっては水晶体Ｐが硬く、超音波チップ１１の先端部の超音波振動だけでは破砕・除去できない場合が考えられる。そこで、このような場合に備えて、図１の装置では蠕動ポンプ４を取り付けている。超音波チップ１の排出口１４に流動してきた水晶体Ｐの破片が硬く、灌流液の供給圧だけでは排出口内に流し込めない場合は、ハンドピース１に設けたスイッチＳを押圧する。すると、蠕動ポンプ４が駆動して超音波チップ１１の排出口１４から灌流液の吸引が開始される。このとき、廃液袋２２からの廃液の逆流は逆止弁３によって防止される。超音波チップ１１の排出口１４に流動してきた水晶体Ｐの破片は、超音波振動に加え蠕動ポンプ４による吸引力によって排出口１４に吸い込まれる。硬い水晶体Ｐの破片が排出・除去されると、スイッチ１２の押圧を解除する。すると、蠕動ポンプ４が停止して、水頭圧による供給圧のみによって灌流液が流動する通常状態に戻る。なお、超音波チップ１１による超音波振動と灌流液の供給圧とで、眼内患部を破砕除去できる場合は、吸引ポンプは設けなくてもよい。本発明で使用する吸引ポンプとしては従来公知のものが使用でき、例えば、蠕動ポンプのほかベンチュリーポンプやダイヤフラムポンプ等が使用できる。
【００３１】
なお、吸引ポンプを設けた場合には、サージ現象が不可避的に発生するので、これを抑えるために、減圧補償チューブ（減圧補償器具）５をさらに取り付けることが推奨される。減圧補償チューブ５について説明する。この減圧補償チューブ５は、例えばシリコンや塩化ビニル等を素材とする可撓性のチューブから主要部が構成され、貯留瓶２１とハンドピース１とを接続する供給管６の途中に接続されている。サージ現象を抑えるためには、供給管６の、ハンドピース１にできるだけ近い部分に接続するのがよい。そして、減圧補償チューブ５の先端部は、開閉手段である鉗子５１で固持され閉塞されている。減圧補償チューブ５の先端部を閉塞する手段としては鉗子５１のほか、手動式の逆止弁など従来公知の閉塞手段を用いることができる。
【００３２】
減圧補償チューブ５の先端部は、ハンドピース１の操作領域より上方で且つ貯留瓶２１の配備高さより下方に位置するようにされている。この状態で貯留瓶２１から灌流液を流下させると、供給管６経由で減圧補償チューブ５内に灌流液が流入して補給液貯留部が形成されると同時に、補給液貯留部上部に、灌流瓶２１の水頭圧を受けることで圧縮状態の気体を貯留する気体貯留部が形成される。
【００３３】
このような減圧補償チューブ５を供給管６に接続することによって、例えば、吸引排出されるべき水晶体Ｐが、超音波チップ１１の排出口１４に一瞬目詰まりした後、急に排出側に大きく吸込まれ、後嚢Ｓの内部が通常処置時の圧よりも異常に圧力低下したとき、この圧力低下に連動して減圧補償チューブ５から灌流液が後嚢Ｓの内部に補給され、サージ現象が阻止され眼球及び前房の虚脱が防止される。
【００３４】
また、水晶体等の眼内患部が硬い場合に備えて、貯留瓶２１の高さ位置を変更可能とする、あるいは供給ポンプの供給圧を変動可能とする等の手段を、吸引ポンプの設置と共に又は独立して講じてもよい。
【００３５】
そしてまた、吸引ポンプ４と逆止弁３とを備えた図１に例示する装置の場合、従来よりも小さい吸引力が生じる範囲において吸引ポンプ４を常時駆動させてもよい。これにより、水晶体Ｐの破片の吸引除去能力が高まる。
【００３６】
灌流液の供給圧として水頭圧を用いた場合の灌流液の流量は、貯留瓶２１と、排出管７，７１の後端との高低差により調整できる。下記表１に、貯留瓶２１の床面からの高さ及び排出管７，７１の後端の床面からの高さを変化させたときの、灌流液の流量（ｍＬ／ｍｉｎ）の変化例を示す。この表から、貯留瓶２１の高さを高くするほど、そして排出管７，７１の後端の高さを低くするほど、灌流液の流量は多くなることがわかる。
【００３７】
【表１】
2010246573.tif 000003
【００３８】
本発明で使用する灌流液としては従来公知のものが使用でき、例えば、オキシグルタチオン溶液等を希釈液にて設定希釈して構成される「ビーエスエスプラス（商標名）」や「オペガード（登録商標）ネオキット」、「オペガード（登録商標）ＭＡ」等が挙げられる。
【００３９】
次に、本発明に係る眼内手術装置の他の実施形態を説明する。図３に概説図を示す。この図の眼内手術装置が、図１の装置と異なる点は、排出管が分岐せずハンドピース１と廃液袋２２とを１本の弾性チューブ（排出管）７３で接続している点にある。以下、この異なる点を中心に説明する。図１に示した装置では、排出管を途中で２本に分岐し、蠕動ポンプ４が停止しているときと駆動しているときとで、異なる排出管を用いて灌流液を排出していた。これに対し、図３の装置では、蠕動ポンプ４を、駆動していない状態でも弾性チューブ７３内を通して灌流液を排出できるようにした。
【００４０】
この装置で使用する蠕動ポンプ４は、複数個のローラ４２が外周部に等間隔で設けられたロータ４１と、ロータ４１を回転可能に収容するケースとを備える。ケースは、ロータ４１を回転可能に支持する本体ケース４３と、ロータ４１の外周の略半分を所定の隙間を隔てて覆う上ケース４４とを有し、上ケース４４の一方端は、本体ケース４３に対し軸４５を中心として揺動可能に取り付けられている。また上ケース４４の自由端側にはピン４６が突設されている。一方、略逆「へ」字状のカム８が軸８１（図４に図示）を中心に揺動自在に取り付けられ、その一方側に形成された長穴８２（図４に図示）に上ケース４４のピン４６が係合し、カム８の他方側はソレノイド９のプランジャ９２が接続している。プランジャ９２は、プランジャ９２の外嵌された押しバネ９３によってソレノイド本体９１から突出する方向に常に付勢されている。
【００４１】
図４（ａ）に示すように、通常状態では、押しバネ９３によってソレノイド９のプランジャ９２はソレノイド本体９１から突出した位置に保持されるので、上ケース４４はケース本体４３に対して開放された位置にあり、上ケース４４の内周壁とローラ４２との間で弾性チューブ７３が挟まれることはない。したがって、灌流液はハンドピース１から廃液袋２２へと弾性チューブ７３内を流動する。一方、超音波チップ１１の排出口１４に水晶体Ｐの破片が目詰まりした場合など、蠕動ポンプ４による吸引力を必要とするときは、ハンドピース１のスイッチ１２が押圧される。すると、図４（ｂ）に示すように、ソレノイド９が起動してプランジャ９２がソレノイド本体９１に引き込まれる。これによって軸８１を中心としてカム８が反時計回りに回転し、上ケース４４は、カム８の長穴８２に係合しているピン４６によって軸４５を中心に時計回りに回転する。これにより、上ケース４４の内周面とローラ４２とで弾性チューブ７３が挟み込まれて、弾性チューブ７３にくびれができる。また同時に蠕動ポンプ４のロータ４１が回転するので、弾性チューブ７３のくびれが回転移動し、弾性チューブ７３内の灌流液が廃液袋２２に移送されるようになる。弾性チューブ７３内の灌流液が廃液袋２２に移送されることによって、超音波チップ１１の排出口１４に吸引力が生じ、水晶体Ｐの破片の吸い込みが促進されるようになる。
【００４２】
ここで、ハンドピース１のスイッチ１２が押圧されると、ソレノイド９が作動すると同時にロータ４１が回転し、蠕動ポンプ４が灌流液を移送するようにしてもよいが、蠕動ポンプ４の起動によって弾性チューブ７３内の負圧が一気に大きくなってサージ現象が起こるおそれもある。そこで、蠕動ポンプ４のロータ４１は常に回転させておき、ハンドピース１のスイッチ１２が押圧されると、ソレノイド９が作動して上ケース４４が回転して上ケース４４の内周面とローラ４２で弾性チューブ７３を挟むようにする制御が推奨される。このような制御によれば、上ケース４４が回転して閉まっていくにしたがい、蠕動ポンプ４による灌流液の移送量が徐々に増加し、弾性チューブ７３内の負圧が徐々に大きくなるので、サージ現象の発生を効果的に抑えられるようになる。
【００４３】
以上説明した蠕動ポンプ４では、上ケース４４を回転可能に設けて、弾性チューブ７３にくびれを形成する位置と弾性チューブ７３を開放する位置とに移動させていたが、上ケース４４を固定し、ロータ４１を図４の上下方向に移動可能として同様の効果を奏させても構わない。あるいは、上ケース４４とロータ４１の双方を移動可能として、弾性チューブ７３にくびれを形成するようにしてもよい。
【００４４】
そしてまた、ローラ４２をロータ４１内に対して出入自在に取り付け、蠕動ポンプ４を駆動していないときは、ローラ４２をロータ４１内に収納した状態として、灌流液が弾性チューブ７３内を通って排出されるようにする一方、蠕動ポンプ４が駆動しているときは、ローラ４２をロータ４１から突出させて、弾性チューブ７３にくびれを形成するようにしてもよい。
【実施例】
【００４５】
以下、本発明を実施例によりさらに詳しく説明するが本発明はこれらの例に何ら限定されるものではない。
【００４６】
（実施例１〜９）
減圧補償チューブを取り外した、図１に示す眼内手術装置を用いて下記の実験を行った。実験装置は、超音波白内障手術装置「シリーズ２０００レガシー」（Alcon Surgical製）を使用し、ハンドピースは、「ピエゾエレクトリックスモールフェイコハンドピース」（ＡＭＯ社製）を使用した。超音波チップは「１９Ｇ」のものを使用し、超音波チップの振動出力を３５ｋＨｚとした。また、灌流液は「BSS Plus（登録商標）」（アルコン社製）を使用した。そして、蠕動ポンプは駆動させずに、貯留瓶とハンドピースとの高低差を５５〜１３５ｃｍまで変化させて、豚眼の水晶体を除去する実験を行った。水晶体の除去に要した灌流液量と時間を測定した。結果を表２に合わせて示す。
【００４７】
（比較例１〜９）
図７に示す眼内手術装置を用いて、前記実施例１〜９と同様に、貯留瓶とハンドピースとの高低差を５５〜１３５ｃｍまで変化させて、豚眼の水晶体を除去する実験を行った。水晶体の除去に要した灌流液量と時間を測定した。結果を表２に合わせて示す。
【００４８】
【表２】
2010246573.tif 000004
【００４９】
表２から理解されるように、実施例の装置では、貯留瓶の高さが低い場合（５５ｃｍ）を除き、手術に要する灌流液量は、比較例の装置に比べて少なく、また手術時間は比較例の装置と略同等程度であった。
【００５０】
（眼内圧力の測定）
（実施例１０）
減圧補償チューブを取り付けた以外は実施例１と同様にして、豚眼の水晶体を除去する実験を行い、眼内の圧力変化を測定した。測定結果を図６（ａ）に示す。
【００５１】
（実施例１１）
減圧補償チューブを取り付けると共に、蠕動ポンプを低い吸引力範囲で駆動させた以外は前記実施例１と同様にして、豚眼の水晶体を除去する実験を行い、眼内の圧力変化を測定した。測定結果を図６（ｂ）に示す。
【００５２】
（実施例１２）
蠕動ポンプを低い吸引力範囲で駆動させた以外は前記実施例６と同様にして、豚眼の水晶体を除去する実験を行い、眼内の圧力変化を測定した。測定結果を図７（ｂ）に示す。
【００５３】
図６は、貯留瓶の高さを５５ｃｍとして眼内圧力の経時変化を示すものであって、縦軸に圧力、横軸に時間としたものである。同図（ａ）は、水頭圧のみで灌流液を流動させた場合（実施例１０）、同図（ｂ）は、水頭圧と、蠕動ポンプによる弱い吸引力で灌流液を流動させた場合（実施例１１）、同図（ｃ）は、蠕動ポンプによる強い吸引力で灌流液を流動させた場合（比較例１）の眼内圧力変化を示す。
【００５４】
図７は、貯留瓶の高さを１００ｃｍとして眼内圧力の経時変化を示すものであって、同図（ａ）は、水頭圧のみで灌流液を流動させた場合（実施例６）、同図（ｂ）は、水頭圧と、蠕動ポンプによる弱い吸引力で灌流液を流動させた場合（実施例１２）、同図（ｃ）は、蠕動ポンプによる強い吸引力で灌流液を流動させた場合の眼内圧力変化を示す（比較例６）。
【００５５】
図６及び図７から理解されるように、眼内圧力の変動幅は、水頭圧のみで灌流液を流動させた場合が最も小さく（各図（ａ））、水頭圧と、蠕動ポンプによる弱い吸引力で灌流液を流動させた場合が次に小さく（各図（ｂ））、蠕動ポンプによる強い吸引力で灌流液を流動させた場合が最も大きかった（各図（ｃ））。眼内圧力の変動幅が小さい方が手術の安全性は高まるところ、本発明の装置は従来の装置よりも安全性が高いことが理解される。
【図面の簡単な説明】
【００５６】
【図１】本発明に係る眼内手術装置の一実施形態を示す概説図である。
【図２】超音波チップによって嚢内の水晶体片を除去する様子を示す説明図である。
【図３】本発明に係る眼内手術装置の他の実施形態を示す概説図である。
【図４】図３の蠕動ポンプの入・切時の状態を示す説明図である。
【図５】貯留瓶の高さが５５ｃｍのときの眼内圧力の経時変化を示す図である。
【図６】貯留瓶の高さが１００ｃｍのときの眼内圧力の経時変化を示す図である。
【図７】従来の眼内手術装置を示す概説図である。
【符号の説明】
【００５７】
１    ハンドピース
３    逆止弁
４    蠕動ポンプ（吸引ポンプ）
５    減圧補償チューブ（眼内手術用減圧補償器具）
６    供給管（供給路）
７    排出管（排出路）
１２    スイッチ（入切スイッチ）
１３    流入口
１４    排出口
２１    貯留瓶（貯留部）
４１    ロータ
４２    ローラ
７２，７３    弾性チューブ
【図１】
2010246573.tif 000005
【図２】
2010246573.tif 000006
【図３】
2010246573.tif 000007
【図４】
2010246573.tif 000008
【図５】
2010246573.tif 000009
【図６】
2010246573.tif 000010
【図７】
2010246573.tif 000011